(57)【要約】【課題】顧客が商品を購入する前の段階で店舗外でも商品の装着状態を擬似的に実現することができ、もってその商品が自分に似合うかどうかを十分に確認することができる商品試着シートを提供する。【解決手段】透明シートよりなり、この透明シートに、使用者の身体に装着される種類の商品に係る図形が実物大で印刷または貼り付けされており、使用者の身体に重ねられることにより視覚的に擬似的な装着状態が実現される。商品は例えば、眼鏡、腕時計または装身具である。透明シートは、可撓性を有する樹脂製シートである。透明シートには、商品ロゴ等の広告情報または／および商品番号もしくは商品記号等の商品を特定するための情報が付記されている。商品試着シートは、店頭、街頭、各種施設もしくは各種交通機関内にて、郵便もしくは宅配便にて、あるいはチラシもしくは冊子の付録として無償で配布される。【選択図】図１
0003146067.tif 000002
【実用新案登録請求の範囲】
【請求項１】
透明シートよりなり、前記透明シートに、使用者の身体に装着される種類の商品に係る図形が実物大で印刷または貼り付けされており、使用者の身体に重ねられることにより視覚的に擬似的な装着状態が実現されることを特徴とする商品試着シート。
【請求項２】
請求項１記載の商品試着シートにおいて、商品は眼鏡または眼鏡フレームであり、使用者の目の前に重ねられることにより視覚的に擬似的な装着状態が実現されることを特徴とする商品試着シート。
【請求項３】
請求項１記載の商品試着シートにおいて、商品は腕時計であり、使用者の手首に重ねられることにより視覚的に擬似的な装着状態が実現されることを特徴とする商品試着シート。
【請求項４】
請求項１記載の商品試着シートにおいて、商品は装身具であり、使用者の身体の正面に重ねられることにより視覚的に擬似的な装着状態が実現されることを特徴とする商品試着シート。
【請求項５】
請求項１ないし４何れかに記載の商品試着シートにおいて、透明シートは、可撓性を有する樹脂製シートであることを特徴とする商品試着シート。
【請求項６】
請求項１ないし５何れかに記載の商品試着シートにおいて、透明シートには、商品ロゴ等の広告情報または／および商品番号もしくは商品記号等の商品を特定するための情報が付記されていることを特徴とする商品試着シート。
【請求項７】
請求項１ないし６何れかに記載の商品試着シートにおいて、当該商品試着シートは、店頭、街頭、各種施設もしくは各種交通機関内にて、郵便もしくは宅配便にて、あるいはチラシもしくは冊子の付録として無償で配布されることを特徴とする商品試着シート。
【考案の詳細な説明】
【技術分野】
【０００１】
本考案は、商品試着シートに係り、更に詳しくは、使用者の身体に重ねられることにより視覚的に擬似的な装着状態を実現する商品試着シートに関する。
【背景技術】
【０００２】
例えば眼鏡を新調する場合、顧客は店舗へ出向き、陳列棚に並べられた多数の眼鏡フレームのなかから好みのフレームを選択する。選択に際してはその眼鏡フレームが自分の顔に似合うかどうかを確認するために実際にフレームを掛けてみて、鏡を見たりあるいは同伴者の意見を聞いたりしてフレームを選択するのが一般である。しかしながらこのような選択の作業は、購入前のフレームを持ち帰るわけにはゆかないので、店舗内でしか行なうことができず、フレームＡにしようかＢにしようか迷う場合に、家に持ち帰って家族や知人と相談することはできない。またこのような場合、店舗に置かれた商品カタログを持ち帰ることはできるが、カタログでは紙に印刷された縮小写真を見るだけで装着状態を実現できないことから、そのフレームが自分に似合うかどうかを十分に確認することができない。
【０００３】
また、ダイレクトメール等の郵便や宅配便で店舗側から顧客側へ商品カタログを送る場合も同様で、顧客は、紙に印刷された縮小写真を見るだけで装着状態を実現できないことから、そのフレームが自分に似合うかどうかを十分に確認することができない。
【０００４】
また、以上のことは、眼鏡に限らず、腕時計や装身具など、使用者が身体に装着する種類の商品については遍く云えることである。
【０００５】
【特許文献１】特許第３４９７１０６号公報
【考案の開示】
【考案が解決しようとする課題】
【０００６】
本考案は以上の点に鑑みて、顧客が商品を購入する前の段階で店舗外でも商品の装着状態を擬似的に実現することができ、もってその商品が自分に似合うかどうかを十分に確認することができる商品試着シートを提供することを目的とする。
【課題を解決するための手段】
【０００７】
上記目的を達成するため、本考案の請求項１による商品試着シートは、透明シートよりなり、前記透明シートに、使用者の身体に装着される種類の商品に係る図形が実物大で印刷または貼り付けされており、使用者の身体に重ねられることにより視覚的に擬似的な装着状態が実現されることを特徴とする。
【０００８】
また、本考案の請求項２による商品試着シートは、上記した請求項１記載の商品試着シートにおいて、商品は眼鏡または眼鏡フレームであり、使用者の目の前に重ねられることにより視覚的に擬似的な装着状態が実現されることを特徴とする。
【０００９】
また、本考案の請求項３による商品試着シートは、上記した請求項１記載の商品試着シートにおいて、商品は腕時計であり、使用者の手首に重ねられることにより視覚的に擬似的な装着状態が実現されることを特徴とする。
【００１０】
また、本考案の請求項４による商品試着シートは、上記した請求項１記載の商品試着シートにおいて、商品は装身具であり、使用者の身体の正面に重ねられることにより視覚的に擬似的な装着状態が実現されることを特徴とする。
【００１１】
また、本考案の請求項５による商品試着シートは、上記した請求項１ないし４何れかに記載の商品試着シートにおいて、透明シートは、可撓性を有する樹脂製シートであることを特徴とする。
【００１２】
また、本考案の請求項６による商品試着シートは、上記した請求項１ないし５何れかに記載の商品試着シートにおいて、透明シートには、商品ロゴ等の広告情報または／および商品番号もしくは商品記号等の商品を特定するための情報が付記されていることを特徴とする。
【００１３】
更にまた、本考案の請求項７による商品試着シートは、上記した請求項１ないし６何れかに記載の商品試着シートにおいて、当該商品試着シートは、店頭、街頭、各種施設もしくは各種交通機関内にて、郵便もしくは宅配便にて、あるいはチラシもしくは冊子の付録として無償で配布されることを特徴とする。
【００１４】
上記構成を有する本考案の商品試着シートにおいては、使用者の身体に装着される種類の商品に係る図形が実物大で透明シートに印刷または貼り付けされているので、使用者は当該商品試着シートを身体に重ねることにより視覚的に擬似的な装着状態を実現することが可能とされている。図形には、写真やコンピュータグラフィック（ＣＧ）の類も含まれる。図形は、商品と同じ色合いの彩色図（写真の場合はカラー写真）であるが、単色図（写真の場合はモノクロ写真）であっても良い。透明シートには透明フィルムの類も含まれる。
【００１５】
例えば、商品が眼鏡である場合、透明シートには眼鏡の外観を表す図形が実物大で印刷または貼り付けされているので、使用者はこの試着シートを目の前に重ねることにより視覚的に擬似的な装着状態が実現される。使用者はこの擬似的な装着状態を鏡で見たり、あるいは家族や知人に見せたりする。
【００１６】
眼鏡の外観を表す図形としては、眼鏡フレームにおけるレンズ枠の部分が正対する正面図が描かれる。耳掛けの部分は装着状態（レンズ枠の部分から直角に開いた状態）で正面から視認可能な部分が描かれるが、商品選定に際しての重要度が低いと判断される場合は省略しても良い。レンズの部分は、装着予定のレンズが透明である場合は透明シートの地色（透明）のままとされ、使用者はこの部分を通して試着シートの向こうを見ることができる。商品がサングラスである場合は色付き半透明のレンズ部分も併せて描かれ、使用者はこの色付き半透明の部分を通してその向こうがどのように見えるかを疑似的に体験することができる。
【００１７】
商品が腕時計である場合は、透明シートには腕時計の外観を表す図形が実物大で印刷または貼り付けされているので、使用者はこの試着シートを手首に重ねることにより擬似的な装着状態が実現される。使用者はこの擬似的な装着状態を自ら見たり、あるいは家族や知人に見せたりする。
【００１８】
腕時計の外観を表す図形としては、時計の文字盤の部分が正対する正面図が描かれる。バンドの部分は装着状態（手首に巻き付けられて環状とされた状態）で正面から視認可能な部分が描かれるが、長手方向に二分割された革バンド等では平面状に展開した状態であっても良い。この場合、透明シートが可撓性を有する材質であれば、透明シートを丸めて手首に巻き付けることにより、一層リアルな装着状態を実現することができる。
【００１９】
商品が装身具である場合は、透明シートには装身具の外観を表す図形が実物大で印刷または貼り付けされているので、使用者はこの試着シートを身体の正面に重ねることにより擬似的な装着状態が実現される。使用者はこの擬似的な装着状態を鏡で見たり、あるいは家族や知人に見せたりする。装身具は具体的にはネックレスやブローチ等である。
【００２０】
装身具の外観を表す図形としては、その装飾に係る部分が正対する正面図が描かれる。ネックレスは鎖状の不定形であるので、その装着状態（首に吊り下げられた状態）が正面から描かれる。首の後ろに位置する部分は、描くと却って邪魔になるので省略しても良い。
【００２１】
透明シートとしては、可撓性を有する樹脂製シートを用いるのが好適であり、上記したように手首に巻き付ける場合などに弾性変形させやすいほかに、図形を印刷しやすい、貼り付けやすい、カット等の加工がしやすい、透明性に優れている、耐水性に優れている、軽い、大量生産に向いている、コストが低い等のメリットがある。透明シートは複数枚の重ね合わせとしても良い（例えばプリントシートをベースシートに貼付する等）。透明シートの形状は一般に四角形とするが、特に限定されるものではない。
【００２２】
また、透明シートに、商品ロゴ等の広告情報や商品番号もしくは商品記号等の商品を特定するための情報（商品特定情報）を付記することにより、広告媒体としての機能やカタログとしての機能を高めることも可能である。
【００２３】
また、本考案の試着シートは例えば店頭にて無償で配布される。したがって上記した眼鏡の新調の例で云えば、顧客はフレームＡの試着シートとフレームＢの試着シートを持ち帰ってそれぞれ擬似的な装着状態を実現し、どちらが良いかを十分に検討することができる。また店頭で配布されるほか、街頭、各種施設もしくは各種交通機関内にて配布され、郵便もしくは宅配便にて配布され、あるいはチラシもしくは冊子の付録として配布されるようにしても良い。
【考案の効果】
【００２４】
以上説明したように本考案の商品試着シートによれば、眼鏡、腕時計または装身具などの商品の外観を表す図形が実物大で透明シートに印刷または貼り付けされているので、当該試着シートを身体に重ねることにより視覚的に擬似的な装着状態を実現することが可能とされている。したがって顧客が商品を購入する前の段階で店舗外でも商品の装着状態を擬似的に実現することができ、もってその商品が自分に似合うかどうかを十分に確認することができる。したがってその結果として販売促進効果を期待することができ、また当該試着シートが出回ることによって広告宣伝効果を期待することもできる。
【考案を実施するための最良の形態】
【００２５】
つぎに本考案の実施例を図面にしたがって説明する。
【００２６】
第一実施例・・・
図１は、本考案の第一実施例に係る商品試着シート１を示している。当該実施例に係る商品試着シート１は、使用者の身体に装着される種類の商品に係る商品見本であって、商品の外観を表す図形３が実物大で透明シート２に印刷または貼り付けされており、使用時に当該試着シート１を使用者の身体に重ねることにより視覚的に擬似的な装着状態を実現するものとされている。試着シート１は全体として１枚のシートよりなる平面体である。商品としては具体的には、眼鏡、腕時計、装身具などであるが、ここでは眼鏡としてある。透明シート２は、可撓性を有する樹脂製シートよりなり、これが横長の平面長方形とされ、その平面中央に眼鏡１つ分の図形３が実寸で描かれている。
【００２７】
眼鏡の外観を表す図形３としては、眼鏡フレームにおけるレンズ枠の部分４が正対する正面図が描かれている。レンズの部分５は、装着予定のレンズが透明であるので、透明シート２の地色（透明）のままとされているが、サングラスの場合は図２に示すように、色付き半透明のレンズ部分６も併せて描かれる。また透明シート２の隅部には、商品ロゴ等の広告情報７や商品番号もしくは商品記号等の商品を特定するための情報（商品特定情報）８が付記されている。
【００２８】
上記構成の商品試着シート１においては、透明シート２に眼鏡の外観を表す図形３が実物大で印刷または貼り付けされているので、図３（Ａ）から（Ｂ）へと示すように、使用者（顧客）５１はこの商品試着シート１を手５２に持って目の前に重ねることにより視覚的に擬似的な装着状態を実現することが可能とされている。
【００２９】
第二実施例・・・
図４は、本考案の第二実施例に係る商品試着シート１を示している。当該実施例に係る商品試着シート１は、使用者の身体に装着される種類の商品に係る商品見本であって、商品の外観を表す図形３が実物大で透明シート２に印刷または貼り付けされており、使用時に当該試着シート１を使用者の身体に重ねることにより視覚的に擬似的な装着状態を実現するものとされている。試着シート１は全体として１枚のシートよりなる平面体である。商品としては具体的には、眼鏡、腕時計、装身具などであるが、ここでは腕時計としてある。透明シート２は、可撓性を有する樹脂製シートよりなり、これが縦長の平面長方形とされ、その平面中央に腕時計１つ分の図形３が実寸で描かれている。
【００３０】
腕時計の外観を表す図形３としては、時計の文字盤の部分９が正対する正面図が描かれている。バンドの部分１０は装着状態（手首に巻き付けられて環状とされた状態）で正面から視認可能な部分が描かれているが、長手方向に二分割されている革バンド等では図５に示すように、平面状に展開した状態が描かれても良い。また透明シート２の隅部には、商品ロゴ等の広告情報７や商品番号もしくは商品記号等の商品を特定するための情報（商品特定情報）８が付記されている。
【００３１】
上記構成の商品試着シート１においては、透明シート２に腕時計の外観を表す図形３が実物大で印刷または貼り付けされているので、図６（Ａ）から（Ｂ）へと示すように、使用者（顧客）はこの商品試着シート１を手５２に持って反対の手５３の手首の上に重ねる（図５の場合は手首に巻き付ける）ことにより視覚的に擬似的な装着状態を実現することが可能とされている。
【００３２】
第三実施例・・・
図７は、本考案の第三実施例に係る商品試着シート１を示している。当該実施例に係る商品試着シート１は、使用者の身体に装着される種類の商品に係る商品見本であって、商品の外観を表す図形３が実物大で透明シート２に印刷または貼り付けされており、使用時に当該試着シート１を使用者の身体に重ねることにより視覚的に擬似的な装着状態を実現するものとされている。試着シート１は全体として１枚のシートよりなる平面体である。商品としては具体的には、眼鏡、腕時計、装身具などであるが、ここでは装身具の一例としてネックレスとしてある。透明シート２は、可撓性を有する樹脂製シートよりなり、これが平面長方形とされ、その平面中央にネックレス１つ分の図形３が実寸で描かれている。
【００３３】
ネックレスの外観を表す図形３としては、ネックレスは鎖状の不定形物であるので、その装着状態（首に吊り下げた状態）が正面から描かれている。首の後ろに位置する部分は、描くと却って邪魔になるので省略されている。また透明シート２の隅部には、商品ロゴ等の広告情報７や商品番号もしくは商品記号等の商品を特定するための情報（商品特定情報）８が付記されている。
【００３４】
上記構成の商品試着シート１においては、透明シート２にネックレスの外観を表す図形３が実物大で印刷または貼り付けされているので、図８（Ａ）から（Ｂ）へと示すように、使用者（顧客）５１はこの商品試着シート１を手５２に持って首回りの正面に重ねることにより視覚的に擬似的な装着状態を実現することが可能とされている。尚、図７に点線で示すように平面長方形の透明シート２における使用者の首と干渉する部位に切欠１１を設けると、商品試着シート１を首回りに重ねやすくなる。
【００３５】
上記各実施例に共通して、商品試着シート１は商品の種類ないしデザイン毎に多数製作される。そして例えば店頭で、陳列棚に商品の現品が置かれ、その脇に同じ商品に係る商品試着シート１が持ち帰り自由の商品見本として置かれる。したがって顧客は、その商品に興味を持ったりあるいは購入の検討をしたりするときに商品試着シート１を持ち帰ることになる。
【００３６】
そのほかの配布方法としては例えば、以下のようなものが考えられる。
（１）店頭、街頭などで手配りする。
（２）図９に示すように、ポスター１２に特定の商品に係る商品広告を印刷する（図では符号１３で広告印刷欄を示している）とともに同じ商品に係る商品試着シート１を多数剥離可能に貼り付け（図では４種類の商品（眼鏡）に係る商品試着シート１が４枚ずつ計１６枚貼り付けられている）、このポスター１２を店頭、街頭、各種施設（駅舎、スポーツ競技場、催事場など）内、各種交通機関（電車内など）内などに掲示する。商品に興味を持ったりあるいは購入の検討をしたりする人は、商品試着シート１を自由に剥がして持ち帰る。
（３）ダイレクトメール等として郵便もしくは宅配便で配布する。
（４）チラシに添付して配布する。
（５）雑誌の広告頁に添付して配布する。
【図面の簡単な説明】
【００３７】
【図１】本考案の第一実施例に係る商品試着シートの正面図
【図２】同実施例における他の商品試着シートの正面図
【図３】同実施例に係る商品試着シートの使用状態説明図
【図４】本考案の第二実施例に係る商品試着シートの正面図
【図５】同実施例における他の商品試着シートの正面図
【図６】同実施例に係る商品試着シートの使用状態説明図
【図７】本考案の第三実施例に係る商品試着シートの正面図
【図８】同実施例に係る商品試着シートの使用状態説明図
【図９】商品試着シートの配布方法の一例を示すポスターの正面図
【符号の説明】
【００３８】
１  商品試着シート
２  透明シート
３  図形
４  レンズ枠部分
５，６  レンズ部分
７  広告情報
８  商品特定情報
９  文字盤部分
１０  バンド部分
１１  切欠
１２  ポスター
１３  広告印刷欄
５１  使用者（顧客）
５２，５３  手
【図１】
0003146067.tif 000003
【図２】
0003146067.tif 000004
【図３】
0003146067.tif 000005
【図４】
0003146067.tif 000006
【図５】
0003146067.tif 000007
【図６】
0003146067.tif 000008
【図７】
0003146067.tif 000009
【図８】
0003146067.tif 000010
【図９】
0003146067.tif 000011